【手続補正書】
【提出日】平成17年8月4日(2005.8.4)
【手続補正１】
【補正対象書類名】明細書
【補正対象項目名】特許請求の範囲
【補正方法】変更
【補正の内容】
【特許請求の範囲】
【請求項１】
第１〜第（ｎ−１）番目のオリジナル楽曲のグル−プと、所望時に設けられる最終の第ｎ番目のボ−ナス楽曲のグル−プと、のアナログオ−デイオ信号をＡ／Ｄ変換してデジタルデ−タ列を生成するステツプと、
デイスクの記録領域に、
前記第ｎ番目のボ−ナス楽曲のグル−プにアクセスするためのデ−タとして、また、前記ボ−ナス楽曲のグル−プが存在しないことを示すためのデ−タとしてのインタラクテイブデ−タと、
前記オリジナル楽曲の構成要素である第１のオ−デイオタイトルであつて、オ−デイオセル（ＡＴＳ−Ｃ）を含む複数のオ−デイオオブジエクト（ＡＯＢ）からなる第１のオ−デイオタイトルと、
前記ボ−ナス楽曲のグル−プが設けられた場合にはそのボ−ナス楽曲の構成要素である第２のオ−デイオタイトルであつて、オ−デイオセル（ＡＴＳ−Ｃ）を含む複数のオ−デイオオブジエクト（ＡＯＢ）からなる第２のオ−デイオタイトルと、
スチルピクチヤセツト（ＳＰＳ）とを有し、
前記オ−デイオオブジエクト（ＡＯＢ）が、実デ−タとしてオ−デイオデ−タを有する第１のパツクのみにより構成された第１のオ−デイオオブジエクト（ＡＯＢ）と、前記第１のパツク、及び実デ−タとして前記オ−デイオデ−タに関するリアルタイムインフオメ−シヨンデ−タを有する第２のパツクにより構成された第２のオ−デイオオブジエクト（ＡＯＢ）の２種類で構成され、
さらに、前記スチルピクチヤセツト（ＳＰＳ）が前記オ−デイオデ−タに関するスチルピクチヤデ−タを含む第３のパツクを有し、
前記複数のオ−デイオセル（ＡＴＳ−Ｃ）がその再生順に再生されるための制御情報（ＡＴＳ−Ｃ−ＰＢＩＴ）を含むオ−デイオタイトルセツト・インフオメ−シヨン（ＡＴＳＩ）を有し、
このオ−デイオタイトルセツト・インフオメ−シヨン（ＡＴＳＩ）が、前記オ−デイオセル（ＡＴＳ−Ｃ）がオ−デイオデ−タのみからなるオ−デイオセルであるか、オ−デイオデ−タとリアルタイムインフオメ−シヨンとからなるオ−デイオセルであるか、を少なくとも識別する識別デ−タ（ＡＴＳ−Ｃ−ＴＹ）を有していると共に、前記スチルピクチヤセツト（ＳＰＳ）内のスチルピクチヤデ−タをペ−ジ制御するスチルピクチャ制御情報（ＳＰＣＩＴ）を有してなる、
デ−タ構造にフオ−マツト化されて、記録するステツプと、
からなるエンコ−ド方法。
【請求項２】
請求項１に記載のエンコ−ド方法により記録された信号の再生装置であつて、
前記第１〜第（ｎ−１）番目のオリジナル楽曲のグル−プのオ−デイオデ−タを無条件に再生する再生手段と、
前記第ｎ番目のボ−ナス楽曲のグル−プにアクセスするためのインタラクテイブデ−タが供給された場合に、前記第ｎ番目のボ−ナス楽曲のグル−プのオ−デイオデ−タを再生許可する再生許可手段と、
前記記録されたオ−デイオタイトルセツト・インフオメ−シヨン（ＡＴＳＩ）からオ−デイオセル（ＡＴＳ−Ｃ）の識別デ−タ（ＡＴＳ−Ｃ−ＴＹ）とスチルピクチヤデ−タをペ−ジ制御するスチルピクチャ制御情報（ＳＰＣＩＴ）をデコ−ドする第１のデコ−ド手段と、
前記記録されたオ−デイオオブジエクト（ＡＯＢ）からオ−デイオセルをデコ−ドする第２のデコ−ド手段と、
前記記録されたスチルピクチヤセツト（ＳＰＳ）に配置される第３のパツクからスチルピクチヤデ−タをデコ−ドする第３のデコ−ド手段と、
前記オ−デイオデ−タの再生時に少なくとも前記第１のデコ−ド手段から取り出されたオ−デイオセル（ＡＴＳ−Ｃ）の識別デ−タ（ＡＴＳ−Ｃ−ＴＹ）とスチルピクチャ制御情報（ＳＰＣＩＴ）に基づいて、少なくとも前記第２のデコ−ド手段で取り出されたオ−デイオデ−タと共に前記第３のデコ−ド手段で取り出されたスチルピクチヤデ−タを、ペ−ジ制御して出力する出力手段とを、
有する再生装置。
【手続補正２】
【補正対象書類名】明細書
【補正対象項目名】００１１
【補正方法】変更
【補正の内容】
【００１１】
１）第１〜第（ｎ−１）番目のオリジナル楽曲のグル−プと、所望時に設けられる最終の第ｎ番目のボ−ナス楽曲のグル−プと、のアナログオ−デイオ信号をＡ／Ｄ変換してデジタルデ−タ列を生成するステツプと、
デイスクの記録領域に、
前記第ｎ番目のボ−ナス楽曲のグル−プにアクセスするためのデ−タとして、また、前記ボ−ナス楽曲のグル−プが存在しないことを示すためのデ−タとしてのインタラクテイブデ−タと、
前記オリジナル楽曲の構成要素である第１のオ−デイオタイトルであつて、オ−デイオセル（ＡＴＳ−Ｃ）を含む複数のオ−デイオオブジエクト（ＡＯＢ）からなる第１のオ−デイオタイトルと、
前記ボ−ナス楽曲のグル−プが設けられた場合にはそのボ−ナス楽曲の構成要素である第２のオ−デイオタイトルであつて、オ−デイオセル（ＡＴＳ−Ｃ）を含む複数のオ−デイオオブジエクト（ＡＯＢ）からなる第２のオ−デイオタイトルと、
スチルピクチヤセツト（ＳＰＳ）とを有し、
前記オ−デイオオブジエクト（ＡＯＢ）が、実デ−タとしてオ−デイオデ−タを有する第１のパツクのみにより構成された第１のオ−デイオオブジエクト（ＡＯＢ）と、前記第１のパツク、及び実デ−タとして前記オ−デイオデ−タに関するリアルタイムインフオメ−シヨンデ−タを有する第２のパツクにより構成された第２のオ−デイオオブジエクト（ＡＯＢ）の２種類で構成され、
さらに、前記スチルピクチヤセツト（ＳＰＳ）が前記オ−デイオデ−タに関するスチルピクチヤデ−タを含む第３のパツクを有し、
前記複数のオ−デイオセル（ＡＴＳ−Ｃ）がその再生順に再生されるための制御情報（ＡＴＳ−Ｃ−ＰＢＩＴ）を含むオ−デイオタイトルセツト・インフオメ−シヨン（ＡＴＳＩ）を有し、
このオ−デイオタイトルセツト・インフオメ−シヨン（ＡＴＳＩ）が、前記オ−デイオセル（ＡＴＳ−Ｃ）がオ−デイオデ−タのみからなるオ−デイオセルであるか、オ−デイオデ−タとリアルタイムインフオメ−シヨンとからなるオ−デイオセルであるか、を少なくとも識別する識別デ−タ（ＡＴＳ−Ｃ−ＴＹ）を有していると共に、前記スチルピクチヤセツト（ＳＰＳ）内のスチルピクチヤデ−タをペ−ジ制御するスチルピクチャ制御情報（ＳＰＣＩＴ）を有してなる、
デ−タ構造にフオ−マツト化されて、記録するステツプと、
からなるエンコ−ド方法。
２）請求項１に記載のエンコ−ド方法により記録された信号の再生装置であつて、
前記第１〜第（ｎ−１）番目のオリジナル楽曲のグル−プのオ−デイオデ−タを無条件に再生する再生手段と、
前記第ｎ番目のボ−ナス楽曲のグル−プにアクセスするためのインタラクテイブデ−タが供給された場合に、前記第ｎ番目のボ−ナス楽曲のグル−プのオ−デイオデ−タを再生許可する再生許可手段と、
前記記録されたオ−デイオタイトルセツト・インフオメ−シヨン（ＡＴＳＩ）からオ−デイオセル（ＡＴＳ−Ｃ）の識別デ−タ（ＡＴＳ−Ｃ−ＴＹ）とスチルピクチヤデ−タをペ−ジ制御するスチルピクチャ制御情報（ＳＰＣＩＴ）をデコ−ドする第１のデコ−ド手段と、
前記記録されたオ−デイオオブジエクト（ＡＯＢ）からオ−デイオセルをデコ−ドする第２のデコ−ド手段と、
前記記録されたスチルピクチヤセツト（ＳＰＳ）に配置される第３のパツクからスチルピクチヤデ−タをデコ−ドする第３のデコ−ド手段と、
前記オ−デイオデ−タの再生時に少なくとも前記第１のデコ−ド手段から取り出されたオ−デイオセル（ＡＴＳ−Ｃ）の識別デ−タ（ＡＴＳ−Ｃ−ＴＹ）とスチルピクチャ制御情報（ＳＰＣＩＴ）に基づいて、少なくとも前記第２のデコ−ド手段で取り出されたオ−デイオデ−タと共に前記第３のデコ−ド手段で取り出されたスチルピクチヤデ−タを、ペ−ジ制御して出力する出力手段とを、
有する再生装置。
【手続補正３】
【補正対象書類名】明細書
【補正対象項目名】００５９
【補正方法】削除
【補正の内容】